(57)【要約】【課題】タブを端子接続部内へ確実に誘導できるようにする。【解決手段】端子接続部１１を構成する４つの壁面部１２〜１４のうち、弾性接触片１５が延出している支持壁部１２を除いた壁面部である上壁部１４は、外壁部２２と内壁部２３とを重ね合わせた二重壁形態とされている。外壁部２２の前端部の内面には、タブ３０の進入方向に対して斜めをなし、タブ３０を端子接続部１１内に誘導可能な第１誘導斜面２５が形成され、内壁部２３の前端部の内面には、タブ３０の進入方向に対して斜めをなし、タブ３０を端子接続部１１内に誘導可能な第２誘導斜面２７が形成されている。【選択図】図７
2012038552.tif 000002
【特許請求の範囲】
【請求項１】
前端部に角筒状をなす端子接続部を有し、
前記端子接続部の内部には、前記端子接続部を構成する支持壁部の端縁から折り返し状に延出した形態の弾性接触片が収容され、
前方から前記端子接続部に進入した相手側端子のタブを、前記端子接続部の内面と前記弾性接触片との間で弾性的に挟んで接続させるようにした端子金具において、
前記端子接続部を構成する４つの壁面部のうち前記支持壁部を除いた３つの壁面部の少なくとも１つは、外壁部と内壁部とを重ね合わせた二重壁形態とされており、
前記外壁部の前端部の内面には、前記タブの進入方向に対して斜めをなし、前記タブを前記端子接続部内に誘導可能な第１誘導斜面が形成され、
前記内壁部の前端部の内面には、前記タブの進入方向に対して斜めをなし、前記タブを前記端子接続部内に誘導可能な第２誘導斜面が形成されていることを特徴とする端子金具。
【請求項２】
前後方向において、前記第２誘導斜面の前端は、前記第１誘導斜面の後端と同じ位置か、それよりも後方の位置に配されていることを特徴とする請求項１記載の端子金具。
【請求項３】
前記タブの進入方向に対する前記第１誘導斜面の傾斜角度と、前記第２誘導斜面の傾斜角度とがほぼ同じ角度とされていることを特徴とする請求項１又は請求項２記載の端子金具。
【発明の詳細な説明】
【技術分野】
【０００１】
本発明は、雌形の端子金具に関するものである。
【背景技術】
【０００２】
特許文献１には、前端部に角筒状をなす端子接続部が形成された雌形の端子金具が開示されている。端子接続部の内部には弾性接触片が設けられ、前方から端子接続部に進入した相手側端子のタブは、端子接続部を構成する壁部と弾性接触片との間で弾性的に挟まれた状態で接続されるようになっている。
【先行技術文献】
【特許文献】
【０００３】
【特許文献１】特開２００２−１８４４９９号公報
【発明の概要】
【発明が解決しようとする課題】
【０００４】
タブが端子接続部に進入する際に、タブと端子接続部との間では、タブの進入方向と交差する方向に公差範囲内での僅かな位置ずれを生じることがある。その対策として、特許文献１には、端子接続部を構成する壁部の前端縁に、テーパ状の誘導斜面を形成し、この誘導斜面によってタブを端子接続部内へ誘導する技術が開示されている。
【０００５】
しかし、特許文献１の記載されている端子金具の場合、誘導斜面によってタブを誘導できる範囲が、１枚の壁部の板厚に相当する狭い範囲に限られている、という改善点が残されていた。特に、端子金具が小型化された場合には、端子接続部を構成する壁部の板厚が薄くなって、誘導斜面による誘導範囲が益々狭められるため、タブを誘導する手段に関して更なる改善が望まれる。
【０００６】
本発明は上記のような事情に基づいて完成されたものであって、タブを端子接続部内へ確実に誘導できるようにすることを目的とする。
【課題を解決するための手段】
【０００７】
上記の目的を達成するための手段として、請求項１の発明は、前端部に角筒状をなす端子接続部を有し、前記端子接続部の内部には、前記端子接続部を構成する支持壁部の端縁から折り返し状に延出した形態の弾性接触片が収容され、前方から前記端子接続部に進入した相手側端子のタブを、前記端子接続部の内面と前記弾性接触片との間で弾性的に挟んで接続させるようにした端子金具において、前記端子接続部を構成する４つの壁面部のうち前記支持壁部を除いた３つの壁面部の少なくとも１つは、外壁部と内壁部とを重ね合わせた二重壁形態とされており、前記外壁部の前端部の内面には、前記タブの進入方向に対して斜めをなし、前記タブを前記端子接続部内に誘導可能な第１誘導斜面が形成され、前記内壁部の前端部の内面には、前記タブの進入方向に対して斜めをなし、前記タブを前記端子接続部内に誘導可能な第２誘導斜面が形成されているところに特徴を有する。
【０００８】
請求項２の発明は、請求項１に記載のものにおいて、前後方向において、前記第２誘導斜面の前端は、前記第１誘導斜面の後端と同じ位置か、それよりも後方の位置に配されているところに特徴を有する。
【０００９】
請求項３の発明は、請求項１または請求項２に記載のものにおいて、前記タブの進入方向に対する前記第１誘導斜面の傾斜角度と、前記第２誘導斜面の傾斜角度とがほぼ同じ角度とされているところに特徴を有する。
【発明の効果】
【００１０】
＜請求項１の発明＞
タブが端子接続部に対して進入方向と交差する方向に位置ずれした場合、タブは、第２誘導斜面に摺接することにより、又は第１誘導斜面と第２誘導斜面とに順に摺接することにより、端子接続部の内部へ誘導される。タブを誘導可能な範囲が、２枚の壁部の厚さを併せた広い領域に亘っているので、誘導可能な範囲が１枚の壁部の板厚に相当する狭い範囲に限られている場合に比べると、誘導機能に優れている。
【００１１】
＜請求項２の発明＞
第２誘導斜面の前端を、第１誘導斜面の後端と同じ位置か、それよりも後方の位置に配したので、第１誘導斜面に摺接しているタブの先端縁は、第２誘導斜面の前端に引っ掛からずに済む。
【００１２】
＜請求項３の発明＞
第１誘導斜面の傾斜角度と第２誘導斜面の傾斜角度をほぼ同じ角度としたので、タブが両方の誘導斜面を摺接するときの摺動抵抗に起因する反力がほぼ一定となり、タブを安定して誘導することができる。
【図面の簡単な説明】
【００１３】
【図１】実施形態１の端子金具の正面図
【図２】端子金具の側面図
【図３】端子金具の底面図
【図４】端子金具の断面図
【図５】図４の部分拡大図
【図６】タブが誘導斜面によって誘導されている状態をあらわす断面図
【図７】図６の部分拡大図
【図８】タブが端子接続部に正しく挿入された状態をあらわす断面図
【図９】図４のＸ−Ｘ線断面図
【図１０】端子金具の展開図
【発明を実施するための形態】
【００１４】
＜実施形態１＞
以下、本発明を具体化した実施形態１を図１乃至図１０を参照して説明する。本実施形態の端子金具１０は、全体として前後方向に細長く、前端部に端子接続部１１が形成され、後端部に電線圧着部１９が形成され、端子接続部１１の後端と電線圧着部１９の前端とが連結部１７を介して連結された周知の雌形の端子である。電線圧着部１９には電線２１の先端部が圧着により導通可能に接続されている。
【００１５】
端子金具１０は、雌側ハウジング（図示省略）内に収容され、雄側ハウジング（図示省略）には雄形の相手側端子Ｍが取り付けられ、雌側ハウジングと雄側ハウジングを前後方向に接近させながら嵌合することにより、端子金具１０と相手側端子Ｍの先端のタブ３０とが導通可能に接続されるようになっている。接続の際には、端子接続部１１に対しその前方（図２〜９における左方）からタブ３０が進入するのであるが、正しい進入方向は、タブ３０の長さ方向と平行な方向であり、両ハウジングの嵌合方向と平行な方向である。タブ３０の先端部（図６，７における右側の端部）には、正しい進入方向に対して傾斜した上下対称な一対の傾斜面３１が形成されている。
【００１６】
端子金具１０は、図１０に示す所定の形状に打ち抜いた金属板材に曲げ加工等を施して成形されている。図１に示すように、端子接続部１１は、支持壁部１２（本発明の構成要件である端子接続部１１を構成する壁面部）と、支持壁部１２の左右両側縁から略直角に立ち上がる左右対称な一対の側壁部１３（本発明の構成要件である端子接続部１１を構成する壁面部）と、支持壁部１２と平行をなす上壁部１４（本発明の構成要件である端子接続部１１を構成する壁面部）とによって略角筒状に構成されている。支持壁部１２、左右両側壁部１３及び上壁部１４は、いずれも、前後方向に細長い平板状をなす。これらの壁部１２，１３，１４は、いずれも、端子接続部１１に対するタブ３０の正しい進入方向と平行である。
【００１７】
図４，６，８に示すように、端子接続部１１の内部には、支持壁部１２の前端から後方へ折り返されるように片持ち状に延出した形態の弾性接触片１５が収容されている。弾性接触片１５は、側方から見て山形に屈曲した周知の形状に成形され、弾性接触片１５の頂上部は、タブ３０との接点部１６となっている。図８に示すように、タブ３０が端子接続部１１内に正しく進入した状態では、タブ３０が上壁部１４の内面（下面）と弾性接触片１５の接点部１６の上面との間で上下に挟まれ、弾性接触片１５の弾性復元力により所定の接触圧でタブ３０と端子金具１０とが導通可能に接続される。また、図２に示すように、支持壁部１２の後端は、連結部１７を構成する基板部１８に対して面一状に連なり、基板部１８は、電線圧着部１９の底壁部２０に連なっている。
【００１８】
上述のように、端子接続部１１は、弾性接触片１５が形成されている支持壁部１２と、支持壁部１２を除いた３つの壁面部１３，１３，１４とによって構成されているのであるが、上壁部１４は、支持壁部１２を除いた３つの壁面部１３，１３，１４のうちの１つであり、支持壁部１２とは上下反対側に位置する壁面部でもある。図４〜７に示すように、上壁部１４は、一方の側壁部１３の立ち上がり端縁（上端縁）から支持壁部１２と平行に延出した外壁部２２と、他方の側壁部１３の立ち上がり端縁（上端縁）から支持壁部１２と平行に延出した内壁部２３とをほぼ密着させた状態で重ね合わせた二重壁形態となっている。外壁部２２の内面（下面）は、内壁部２３の外面（上面）に対し、面接触、又は接近して平行に対向した位置関係となっている。また、外壁部２２の厚さ寸法と内壁部２３の厚さ寸法は、同じ寸法である。前後方向（端子接続部１１に対するタブ３０の正しい進入方向と平行な方向）において、内壁部２３の前端は外壁部２２の前端よりも後方に位置している。
【００１９】
次に、外壁部２２の詳しい形状を図５を参照して説明する。外壁部２２の前端部の外面（上面）には、前後方向に対して傾斜したガイド斜面２４が形成されている。このガイド斜面２４は、端子金具１０を雌側ハウジングに挿入する際に端子金具１０の位置ずれを矯正するためのガイド手段として機能する。外壁部２２の前後方向と直交する厚さ方向（上下方向）におけるガイド斜面２４の形成領域Ｈｃは、外壁部２２の厚さ方向中央よりも外面側の位置から、外壁部２２の外面に至る範囲であり、外壁部２２の厚さ全体の１／２よりも小さい範囲である。
【００２０】
外壁部２２の前端部の内面（下面）のうち内壁部２３よりも前方の領域には、タブ３０の正しい進入方向に対して傾斜した第１誘導斜面２５が、外壁部２２の全幅に亘って連続して形成されている。第１誘導斜面２５は、タブ３０が端子接続部１１に対して相対的に上方（タブ３０の進入方向と交差する方向）に位置ずれした状態で進入しようとしたときに、そのタブ３０の位置を下方へ矯正して端子接続部１１内に誘導するためのものである。前後方向における第１誘導斜面２５の形成領域Ｌａは、外壁部２２の前端から、内壁部２３の前端よりも前方の位置に亘る範囲である。また、外壁部２２の厚さ方向（タブ３０の正しい進入方向と直交する方向）における第１誘導斜面２５の形成領域Ｈａは、外壁部２２の厚さ方向中央よりも内面側（下面側）の位置から、外壁部２２の内面に至る範囲であり、外壁部２２の厚さ全体の１／２よりも小さい範囲である。
【００２１】
上記のように、外壁部２２の厚さ方向におけるガイド斜面２４の形成範囲Ｈｃと第１誘導斜面２５の形成範囲Ｈａは、いずれも、外壁部２２の厚さ全体の１／２よりも狭い領域となっているので、外壁部２２の前端はエッジ状に尖ってはおらず、外壁部２２の前端面には、厚さ方向においてガイド斜面２４と第１誘導斜面２５との間に位置し、タブ３０の正しい進入方向と直交する第１直交端面２６が形成されている。
【００２２】
内壁部２３の前端部の内面には、タブ３０の正しい進入方向に対して傾斜した第２誘導斜面２７が、内壁部２３の全幅に亘って連続して形成されている。第２誘導斜面２７は、第１誘導斜面２５と同じく、タブ３０が端子接続部１１に対して相対的に上方に位置ずれした状態で進入しようとしたときに、そのタブ３０の位置を下方へ矯正して弾性接触片１５内に誘導するためのものである。前後方向における第２誘導斜面２７の形成領域Ｌｂは、内壁部２３の前端から、それよりも所定寸法だけ後方の位置に亘る範囲である。
【００２３】
また、内壁部２３の厚さ方向（タブ３０の正しい進入方向と直交する方向）における第２誘導斜面２７の形成領域Ｈｂは、内壁部２３の厚さ方向中央よりも外面側（上面側）の位置から、内壁部２３の内面に至る範囲であり、内壁部２３の厚さ全体の１／２よりも大きい範囲である。したがって、内壁部２３の前端はエッジ状に尖ってはおらず、内壁部２３の前端面には、厚さ方向において第２誘導斜面２７よりも外面側に位置し、タブ３０の正しい進入方向と直交する第２直交端面２８が形成されている。
【００２４】
次に、第１誘導斜面２５と第２誘導斜面２７の形態の相違、位置関係、及びタブ３０との関係等を、図５，７を参照して説明する。外壁部２２と内壁部２３の厚さ寸法は同じ寸法であるが、外壁部２２の厚さ方向における第１誘導斜面２５の形成範囲Ｈａは、内壁部２３の厚さ方向における第２誘導斜面２７の形成範囲Ｈｂよりも小さい。そして、前後方向における第１誘導斜面２５の形成領域Ｌａ（長さ）は、第２誘導斜面２７の形成領域Ｌｂよりも短い寸法となっている。
【００２５】
また、タブ３０の正しい進入方向に対する第１誘導斜面２５の傾斜角度αは、第１誘導斜面２５の前端から後端に亘って一定の角度であり、タブ３０の正しい進入方向に対する第２誘導斜面２７の傾斜角度αは、第２誘導斜面２７の前端から後端に亘って一定の角度である。そして、タブ３０の正しい進入方向に対する第１誘導斜面２５の傾斜角度αは、タブ３０の正しい挿入方向に対する第２誘導斜面２７の傾斜角度αと同じ角度である。この第１誘導斜面２５と第２誘導斜面２７の傾斜角度αは、ガイド斜面２４の傾斜角度βとほぼ同じ角度である。
【００２６】
また、第１誘導斜面２５の傾斜角度αを第２誘導斜面２７の傾斜角度αと同じ角度とした上で、第２誘導斜面２７の前端２７Ｆを、第１誘導斜面２５の後端２５Ｒよりも後方に位置するようにした。つまり、第２誘導斜面２７の全体が第１誘導斜面２５よりも後方に位置するようにした。したがって、第２誘導斜面２７は、第１誘導斜面２５の後方延長線２５Ｌよりも更に後方に位置している。
【００２７】
また、前後方向における第１誘導斜面２５の前端２５Ｆから第２誘導斜面２７の後端２７Ｒまでの寸法ＬＡは、タブ３０の先端の傾斜面３１の前後長ＬＢよりも長い寸法となっている。第１誘導斜面２５と第２誘導斜面２７の傾斜角度αは、タブ３０の傾斜面３１の傾斜角度γよりも大きい角度である。そして、図７に示すように、タブ３０を両誘導斜面２５，２７によって誘導（位置矯正）する過程では、傾斜面３１の途中に第１誘導斜面２５の後端２５Ｒが当接し、タブ３０の前端縁が第２誘導斜面２７に当接する状態、即ち、タブ３０が前後に間隔を空けた２点において第１誘導斜面２５と第２誘導斜面２７に当接する状態となり得るようになっている。
【００２８】
タブ３０が端子接続部１１に進入する際に、タブ３０の位置が端子接続部１１に対して相対的に上方へずれていた場合には、図７に示すように、第１誘導斜面２５と第２誘導斜面２７に摺接し、両誘導斜面２５，２７の傾斜により、タブ３０の位置は、進入動作が進むのに伴って下方へ矯正され、タブ３０は端子接続部１１内に誘導される。これにより、タブ３０は確実に端子接続部１１内に進入することができる。本実施形態では、タブ３０を誘導可能な範囲が、外壁部２２と内壁部２３の２枚の壁部の厚さを併せた広い領域に亘っているので、誘導可能な範囲が１枚の壁部の板厚に相当する狭い範囲に限られている場合に比べると、誘導機能に優れている。
【００２９】
また、前後方向において、第２誘導斜面２７の前端２７Ｆは第１誘導斜面２５の後端２５Ｒよりも後方の位置に配されているので、第１誘導斜面２５に摺接して誘導されているタブ３０の先端縁は、第２誘導斜面２７の前端に引っ掛からずに済む。
また、第１誘導斜面２５の傾斜角度αと第２誘導斜面２７の傾斜角度αをほぼ同じ角度としたので、タブ３０が両方の誘導斜面２５，２７を摺接するときの摺動抵抗に起因する反力がほぼ一定となり、タブ３０を安定して誘導することができる。
【００３０】
＜他の実施形態＞
本発明は上記記述及び図面によって説明した実施形態に限定されるものではなく、例えば次のような実施形態も本発明の技術的範囲に含まれる。
（１）上記実施形態では、第２誘導斜面の前端を、第１誘導斜面の後端よりも後方の位置に配したが、第２誘導斜面の前端は、第１誘導斜面の後端と同じ位置に配してもよく、第１誘導斜面の後端よりも前方に配してもよい。
（２）上記実施形態では、前後方向における第１誘導斜面の長さを第２誘導斜面よりも短い寸法としたが、前後方向における第１誘導斜面の長さは、第２誘導斜面と同じ寸法か、それより長い寸法としてもよい。
（３）上記実施形態では、壁面部（外壁部と内壁部）の厚さ方向における第１誘導斜面の形成範囲を第２誘導斜面の形成範囲よりも小さくしたが、壁面部（外壁部と内壁部）の厚さ方向における第１誘導斜面の形成範囲は、第２誘導斜面の形成範囲と同じ寸法か、それより小さい寸法であってもよい。
（４）上記実施形態では、タブの進入方向に対する第１誘導斜面の傾斜角度と第２誘導斜面の傾斜角度とを同じ角度としたが、第１誘導斜面の傾斜角度は、第２誘導斜面の傾斜角度より大きい角度にしてもよく、第２誘導斜面の傾斜角度より小さい角度にしてもよい。
（５）上記実施形態では、タブの進入方向に対する第１誘導斜面の傾斜角度を、その前端から後端に亘って一定の角度としたが、第１誘導斜面の傾斜角度は、その前端から後端に至る間で変化した形態であってもよい。
（６）上記実施形態では、タブの進入方向に対する第２誘導斜面の傾斜角度を、その前端から後端に亘って一定の角度としたが、第２誘導斜面の傾斜角度は、その前端から後端に至る間で変化した形態であってもよい。
（７）上記実施形態では、第２誘導斜面が、第１誘導斜面の後方延長線よりも更に後方に位置するようにしたが、第２誘導斜面は、第１誘導斜面の後方延長線と重なるようになっていてもよく、第１誘導斜面の後方延長線と交差する形態であってもよい。
（８）上記実施形態では、第１誘導斜面と第２誘導斜面を、弾性接触片が形成されている支持壁部とは反対側の壁面部（上壁部）のみに形成したが、第１誘導斜面と第２誘導斜面は、支持壁部を除いた３つの壁面部の全てに形成してもよく、３つの壁面部のうちいずれか２つの壁面部のみに形成してもよく、支持壁部と直角をなす両側壁部のうちいずれか一方の側壁部だけに形成してもよい。
（９）上記実施形態では、前後方向における第１誘導斜面の前端から第２誘導斜面の後端までの寸法を、タブの先端の傾斜面の前後長よりも長い寸法としたが、この両誘導斜面の前後長は、タブの傾斜面と同じ寸法か、それよりも短い寸法であってもよい。
（１０）上記実施形態では、第１誘導斜面の傾斜角度を、タブの傾斜面の傾斜角度よりも大きい角度としたが、第１誘導斜面の傾斜角度は、タブの傾斜面の傾斜角度と同じ角度か、それより小さい角度としてもよい。
（１１）上記実施形態では、第２誘導斜面の傾斜角度を、タブの傾斜面の傾斜角度よりも大きい角度としたが、第２誘導斜面の傾斜角度は、タブの傾斜面の傾斜角度と同じ角度か、それより小さい角度としてもよい。
（１２）上記実施形態では、弾性接触片が支持壁部の前端から折り返し状に延出する形態としたが、本発明は、弾性接触片が支持壁部の後端から折り返し状に延出する形態である場合にも適用できる。
【符号の説明】
【００３１】
１０…端子金具
１１…端子接続部
１２…支持壁部（端子接続部を構成する壁面部）
１３…側壁部（端子接続部を構成する壁面部）
１４…上壁部（端子接続部を構成する壁面部）
１５…弾性接触片
２２…外壁部
２３…内壁部
２５…第１誘導斜面
２５Ｒ…第１誘導斜面の後端
２７…第２誘導斜面
２７Ｆ…第２誘導斜面の前端
３０…タブ
α…第１誘導斜面と第２誘導斜面の傾斜角度
Ｍ…相手側端子
【図１】
2012038552.tif 000003
【図２】
2012038552.tif 000004
【図３】
2012038552.tif 000005
【図４】
2012038552.tif 000006
【図５】
2012038552.tif 000007
【図６】
2012038552.tif 000008
【図７】
2012038552.tif 000009
【図８】
2012038552.tif 000010
【図９】
2012038552.tif 000011
【図１０】
2012038552.tif 000012